(57)【要約】      （修正有）【課題】シート・バックの背裏面にシート・バック・トリム・ボードを取り付け可能にする。【解決手段】シート・バック・トリム・ボード１４が、ボード下端３０でボード裏面３１に左右のワイヤ・クリップ３２、３２を左右方向に適宜の間隔を置いて突き出し、左右のワイヤ・クリップ３２、３２に左右のワイヤ座３３、３３を左右方向に対応的に隣接させてボード下端３０でボード裏面３１に左右のワイヤ座３２、３２を突き出し、ボード上端がシート・バック・フレーム１１の上方に止められて左右のワイヤ・クリップ３２、３２がシート・バック・フレーム１１の下端に左右方向に伸長されて固定的に配置されるリテイニング・ワイヤ２８にかみ合わせられると、左右のワイヤ座３３、３３がリテイニング・ワイヤ２８を受けてそのワイヤ・クリップ３２、３２とリテイニング・ワイヤ２８との間のガタを除去する。【選択図】図３
2006198129.tif 000002
【特許請求の範囲】
【請求項１】
シート・バック・トリム・ボードが、ボード下端でボード裏面に左右のワイヤ・クリップを左右方向に適宜の間隔を置いて突き出し、そして、その左右のワイヤ・クリップに左右のワイヤ座を左右方向に対応的に隣接させてそのボード下端でそのボード裏面にその左右のワイヤ座を突き出し、そして、ボード上端がシート・バック・フレームの上方に止められてその左右のワイヤ・クリップがそのシート・バック・フレームの下端に左右方向に伸長されて固定的に配置されるリテイニング・ワイヤにかみ合わせられると、その左右のワイヤ座がそのリテイニング・ワイヤを受けてそのワイヤ・クリップとそのリテイニング・ワイヤとの間のガタを除去するところのシート・バック。
【請求項２】
そのワイヤ座が、そのワイヤ・クリップとそのリテイニング・ワイヤとのかみ合い位置に対して食い込み勝手に設定され、そして、それの弾力でそのワイヤ・クリップとそのリテイニング・ワイヤとの間のガタを除去する請求項１に記載のシート・バック。
【発明の詳細な説明】
【技術分野】
【０００１】
この発明は、シート・バックに関し、詳細には、シート・バック・トリム・ボードの取付けを改善するところのシート・バックに関する。
【背景技術】
【０００２】
自動車シートでは、シート・バック・トリム・ボードは、ボード上端でボード裏面に突き出されて取り付けられる左右のクリップ（あるいはフック）、およびボード下端でそのボード裏面に突き出される左右の抜止めピンを備え、そして、シート・バック・フレームのフレーム・トップ側のクロス・ワイヤにその左右のクリップを引っ掛け、そのシート・バック・フレームのフレーム・ボトム側のクロス・プレートの左右のピン穴にその左右の抜止めピンを対応的に差し込んでシート・バックの背裏面に取り付けられるのが一般である。
そのクリップとそのクロス・ワイヤとの間には、ガタが生じてそのシート・バック・トリム・ボードがそのシート・バックのその背裏面にぴたり取り付かない不具合があった。
【特許文献１】実開昭６１−２１３５２号公報
【発明の開示】
【発明が解決しようとする課題】
【０００３】
この発明の課題は、シート・バック・トリム・ボードのワイヤ・クリップとシート・バック・フレームのリテイニング・ワイヤとの間のガタを除去してシート・バックの背裏面にそのシート・バック・トリム・ボードをぴたり取り付け可能にするところのシート・バックの提供にある。
【課題を解決するための手段】
【０００４】
この発明は、シート・バック・トリム・ボードが、ボード下端でボード裏面に左右のワイヤ・クリップを左右方向に適宜の間隔を置いて突き出し、そして、その左右のワイヤ・クリップに左右のワイヤ座を左右方向に対応的に隣接させてそのボード下端でそのボード裏面にその左右のワイヤ座を突き出し、そして、ボード上端がシート・バック・フレームの上方に止められてその左右のワイヤ・クリップがそのシート・バック・フレームの下端に左右方向に伸長されて固定的に配置されるリテイニング・ワイヤにかみ合わせられると、その左右のワイヤ座がそのリテイニング・ワイヤを受けてそのワイヤ・クリップとそのリテイニング・ワイヤとの間のガタを除去する。
【発明の効果】
【０００５】
この発明では、その左右のワイヤ座がそのリテイニング・ワイヤを受けてその左右のワイヤ・クリップとそのリテイニング・ワイヤとの間に生じるガタがそのワイヤ座の弾力で除去され、そして、そのシート・バック・トリム・ボードがシート・バックの背裏面にぴたり取付けられて見映えが確保される。
【発明を実施するための最良の形態】
【０００６】
その左右のワイヤ座が弾力性を有してそのリテイニング・ワイヤを受け易くするブロックに作られ、その左右のワイヤ・クリップとそのリテイニング・ワイヤとのかみ合い位置に対して食い込み勝手に設定され、そして、その弾力でその左右のワイヤ・クリップとそのリテイニング・ワイヤとの間のガタを除去する。勿論、その左右のワイヤ座は、その左右のワイヤ・クリップに左右方向に対応的に隣接されてそのボード裏面に左右方向に一列に並べられる。
【実施例１】
【０００７】
以下、特定されて図示された具体例に基づいて、この発明のシート・バックを説明するに、図１ないし図５は小型自動車の折りたたみリア・シートに活用されるところのこの発明のシート・バックの具体例１０を示し、そして、このシート・バック１０は、シート・バック・フレーム１１にシート・バック・パッド１２を組み付け、それにシート・カバー１３を被せて固定し、そして、シート・バック背裏面にシート・バック・トリム・ボード１４を取り付けて組み立てられ、そして、左右のヒンジ・デバイス（図示せず）でシート・クッション（図示せず）に前倒し可能に支持され、そしてさらに、ヘッドレスト（図示せず）を上下に移動可能にして取り外し可能に取り付ける。
【０００８】
そのシート・バック・フレーム１１は、メイン・フレーム１５がアーチ形パイプ・フレーム・トップ１６、左右のフレーム・サイド１７、１８、およびボトム・フレーム・メンバー１９で枠組みされ、複数のＳ字ワイヤ・スプリング２２、２２がその左右のフレーム・サイド１７、１８の間に張られ、アッパ・クロス・ワイヤ２３がそのアーチ形パイプ・フレーム・トップ１６の左右のアーチ・サイド２０、２１の間に張られ、ロア・クロス・ワイヤ２４がその左右のフレーム・サイド１７、１８の間に張られ、形状出しワイヤ２５がそのボトム・フレーム・メンバー１９から下方に張り出されてそのボトム・フレーム・メンバー１９に溶接され、リテイニング・ワイヤ２８がその形状出しワイヤ２５よりも上方でそのボトム・フレーム・メンバー１９から下方に所定の間隔を置いて左右方向に伸長され、そして、その形状出しワイヤ２５の左右のレッグ２６、２７の間に渡されて両ワイヤ端でその左右のレッグ２６、２７に溶接され、そして、ヘッドレスト・ホルダー・ブラケット２９がそのアーチ形パイプ・フレーム・トップ１６に固定的に取り付けられてそのヘッドレストを組み付け可能にするところの構造に組み立てられる。
【０００９】
そのシート・バック・トリム・ボード１４は硬質樹脂で成形され、そして、ボード下端３０でボード裏面３１に左右のワイヤ・クリップ３２、３２を左右方向に適宜の間隔を置いて一体的に結合させて突き出し、そしてさらに、その左右のワイヤ・クリップ３２、３２の左右方向の外側でその左右のワイヤ・クリップ３２、３２に左右のワイヤ座３３、３３を左右方向に対応的に隣接させてそのボード下端３０でそのボード裏面３１にその左右のワイヤ座３３、３３を一体的に結合させて突き出している。
その左右のワイヤ・クリップ３２、３２は予め硬質樹脂で成形され、同様にその左右のワイヤ座３３、３３も予め軟質樹脂で成形され、そして、そのシート・バック・トリム・ボード１４が型の中で成形される際、その左右のワイヤ・クリップ３２、３２および左右のワイヤ座３３、３３が予めその型内の中空部においてそのボード下端３０でそのボード裏面３１に対応し、そして、そのリテイニング・ワイヤ２８に対応する位置に露出され、左右方向に一列に並べて配置され、そして、そのシート・バック・トリム・ボード１４に一体的に成形される。勿論、そのワイヤ・クリップ３２、３２およびワイヤ座３３、３３は、そのシート・バック・トリム・ボード１４が成形された後に接着剤を用いてそのシート・バック・トリム・ボード１４のそのボード下端３０でそのボード裏面３１に一体的に接合されてもかまわない。
その左右のワイヤ座３３、３３は軟質樹脂で成形されて弾力性を有し、しかもそのリテイニング・ワイヤ２８を受け易くするブロックに作られ、その左右のワイヤ・クリップ３２、３２とそのリテイニング・ワイヤ２８とのかみ合い位置に対して食い込み勝手に設定され、そして、その弾力でその左右のワイヤ・クリップ３２、３２とそのリテイニング・ワイヤ２８との間のガタを十分に除去できてそのシート・バック背裏面にそのシート・バック・トリム・ボード１４をぴたり取り付ける。
【００１０】
したがって、そのシート・バック・パッド１２がそのシート・バック・フレーム１１に組み付けられ、そのシート・カバー１３がそれらに被せられてそのシート・バック・フレーム１１に固定され、そして、そのシート・バック・トリム・ボード１４がそのシート・バック・フレーム１１のそのアッパ・クロス・ワイヤ２３にボード上端側と止めてからそのリテイニング・ワイヤ２８にその左右のワイヤ・クリップ３２、３２をかみ合わせてそのシート・バック１０に組み立てられる。
そのシート・バック・トリム・ボード１４はその左右のワイヤ・クリップ３２、３２がスナップ・アクションでそのリテイニング・ワイヤ２８にかみ合わせられると、その左右のワイヤ座３３、３３がそのリテイニング・ワイヤ２８を受けてその左右のワイヤ・クリップ３２、３２とそのリテイニング・ワイヤ２８とのかみ合い位置まで弾性的に変形されてそのリテイニング・ワイヤ２８を食い込ませ、その弾力でその左右のワイヤ・クリップ３２、３２とそのリテイニング・ワイヤ２８との間のガタを除去してそのシート・バック背裏面にそのシート・バック・トリム・ボード１４をぴたり取り付け、そして、見映えを確保可能にする。
【００１１】
先に図面を参照して説明されたところのこの発明の特定された具体例から明らかであるように、この発明の属する技術分野における通常の知識を有する者にとって、この発明の内容は、その発明の性質（ｎａｔｕｒｅ）および本質（ｓｕｂｓｔａｎｃｅ）に由来し、そして、それらを内在させると客観的に認められる別の態様に容易に具体化される。勿論、この発明の内容は、その発明の課題に相応し（ｂｅ  ｃｏｍｍｅｎｓｕｒａｔｅ  ｗｉｔｈ）、そして、その発明の成立に必須である。
【産業上の利用可能性】
【００１２】
上述から理解されるように、この発明のシート・バックは、シート・バック・トリム・ボードが、ボード下端でボード裏面に左右のワイヤ・クリップを左右方向に適宜の間隔を置いて突き出し、そして、その左右のワイヤ・クリップに左右のワイヤ座を左右方向に対応的に隣接させてそのボード下端でそのボード裏面にその左右のワイヤ座を突き出し、そして、ボード上端がシート・バック・フレームの上方に止められてその左右のワイヤ・クリップがそのシート・バック・フレームの下端に左右方向に伸長されて固定的に配置されるリテイニング・ワイヤにかみ合わせられると、その左右のワイヤ座がそのリテイニング・ワイヤを受けてそのワイヤ・クリップとそのリテイニング・ワイヤとの間のガタを除去するので、この発明のシート・バックでは、その左右のワイヤ・クリップがそのリテイニング・ワイヤにかみ合わせられると、その左右のワイヤ座がそのリテイニング・ワイヤを受けてその左右のワイヤ・クリップとそのリテイニング・ワイヤとのかみ合い位置まで弾性的に変形されてそのリテイニング・ワイヤを食い込ませ、その弾力でその左右のワイヤ・クリップとそのリテイニング・ワイヤとの間のガタが除去されてシート・バック背裏面にそのシート・バック・トリム・ボードがぴたり取り付けられ、そして、見映えが確保され、その結果、普通自動車、小型自動車、および軽自動車などにとって非常に有用で実用的である。
【図面の簡単な説明】
【００１３】
【図１】小型自動車の折りたたみリア・シートに活用されるところのこの発明のシート・バックの具体例を示した斜視図である。
【図２】そのシート・バックのシート・バック・フレームを示した斜視図である。
【図３】そのシート・バック・フレームとシート・バック・トリム・ボードを部分的に示した部分斜視図である。
【図４】図３の４−４線に沿って示した断面図である。
【図５】図３の５−５線に沿って示した断面図である。
【符号の説明】
【００１４】
１１    シート・バック・フレーム
１２    シート・バック・パッド
１３    シート・カバー
１４    シート・バック・トリム・ボード
１５    メイン・フレーム
１６    アーチ形パイプ・フレーム・トップ
１７    左のフレーム・サイド
１８    右のフレーム・サイド
１９    ボトム・フレーム・メンバー
２０    左のアーチ・サイド
２１    右のアーチ・サイド
２２    Ｓ字ワイヤ・スプリング
２３    アッパ・クロス・ワイヤ
２４    ロア・クロス・ワイヤ
２５    形状出しワイヤ
２８    リテイニング・ワイヤ
２９    ヘッドレスト・ホルダー・ブラケット
３０    ボード下端
３１    ボード裏面
３２    ワイヤ・クリップ
３３    ワイヤ座
【図１】
2006198129.tif 000003
【図２】
2006198129.tif 000004
【図３】
2006198129.tif 000005
【図４】
2006198129.tif 000006
【図５】
2006198129.tif 000007